(57)【特許請求の範囲】
【請求項１】
クッション性を有する座板の中央後部寄りの左右の演奏者の座骨当接相当部分に２つの座骨用凹部を設けるとともに、前記座骨用凹部の後部には演奏者の尾骨当接相当部分に単一の尾骨用凹部を設け、さらに前記座板の前側左右が演奏者の両脚部の大腿部を保持でき、かつ縁部に向かってなだらかに低い面によって形成された凹湾曲部を設けたことを特徴とするドラム用椅子。
【発明の詳細な説明】
【０００１】
【発明の属する技術分野】
この発明はドラム演奏時に使用されるドラム用椅子の構造に関する。
【０００２】
【従来の技術】
ドラム演奏時に使用されるドラム用椅子は、演奏者が常に座ったままで椅子上で激しく動くものであるから、背もたれ等の動きの妨げになるものは付けないのが原則であり、また、背もたれ等を付けたとしても演奏の邪魔にならないようにやや後ろに離して取り付けたり、邪魔にならない程度の小さいものがほとんどである。そのため、演奏中の演奏者の体重はすべてドラム用椅子の座板に加わる。
【０００３】
従来のドラム用椅子の例を図１０および図１１に示す。図１０に示すドラム用椅子５０は、最も一般的なもので、ほぼ平坦な丸い座板５１を有する。符号５５は脚部である。また、図１１に示すドラム用椅子６０は、いわゆるサドルタイプのもので、先細の座板６１を有する。符号６２は座ったときの安定感を高めるための座板後部の凸部、６３及び６４は演奏者の大腿部が載置されるなだらかな傾斜面からなる凹湾曲部である。図示したように、従来のこの種ドラム用椅子５０，６０にあっては、演奏者の臀部が載置される座面はほぼ平坦面より構成されているのが通常である。
【０００４】
しかるに、図９にも示したように、人体Ｐの臀部９１は平坦ということはありえず、椅子に着座したときには、その骨格上、骨盤９２の中でも左右の座骨９３が最も突出し、次いで尾骨９４が突出している。むろん骨格は筋肉で取り囲まれて臀部９１は複雑な曲面を形成している。
【０００５】
そのため、座骨９３、次いで尾骨９４部分はドラム用椅子に着座している間、椅子の座面と演奏者自身の体重によって他の臀部９１部分より強く圧迫を受け、長時間の演奏時（例えば通常のステージで２〜３時間、レコーディングでは７〜８時間）には疲労し痛みを感じることがある。
【０００６】
また、最近のドラム演奏にあっては、左右両足でペダルを操るいわゆるツインペダルを使うことが多く、この場合には、演奏者はかかとの浮いた状態でドラム操作することになるので、座面のみで全体の体重のバランスを取らなければならず不安定な姿勢を強いられるとともに疲労が増幅される。
【０００７】
【発明が解決しようとする課題】
この発明はこのような点に鑑みなされたもので、演奏者が安定した姿勢で快適に演奏することができ、長時間の演奏においても演奏者の疲労や痛みを低減させることができる新規なドラム用椅子の構造を提供するものである。
【０００８】
【課題を解決するための手段】
すなわち、本発明は、クッション性を有する座板の中央後部寄りの左右の演奏者の座骨当接相当部分に２つの座骨用凹部を設けるとともに、前記座骨用凹部の後部には演奏者の尾骨当接相当部分に単一の尾骨用凹部を設け、さらに前記座板の前側左右が演奏者の両脚部の大腿部を保持でき、かつ縁部に向かってなだらかに低い面によって形成された凹湾曲部を設けたことを特徴とするドラム用椅子に係る。
【０００９】
【発明の実施の形態】
以下添付の図面に従ってこの発明を詳細に説明する。
図１はドラム用椅子の一実施例を示す全体斜視図、図２は図１における座板の正面図、図３は図１の座板を３−３線で切断した断面図、図４は同じく図１の座板の４−４線部分の切断断面図、図５は他の実施例を示すドラム用椅子の全体斜視図、図６はさらに別の実施例を示すドラム用椅子の全体斜視図、図７は本発明の実施例を示すドラム用椅子の全体斜視図、図８は着座状態を示すドラム用椅子の上面図、図９は着座状態における骨格の位置関係を表す側面図である。
【００１０】
図示したように、一例に係るドラム用椅子１０は、クッション性を有する座板の１１中央後部寄りの左右の演奏者の座骨当接相当部分に２つの座骨用凹部１２，１３を設けたことを特徴とする。
【００１１】
前記しかつ図９にも示したように、椅子に着座したときには、人体Ｐの骨格上、左右の座骨９３が最も突出するわけで、座骨９３部分は椅子の座面と演奏者自身の体重、その動きにより大きな荷重がかかり強く圧迫される。長時間の演奏時には該部分の集中荷重により疲労や痛みを感じる。のみならず、前記したツインペダルの場合には、姿勢が不安定となり疲労が増幅される。
【００１２】
そこで、ドラム用椅子１０にあっては座板の１１中央後部寄りの左右の演奏者の座骨９３当接相当部分に２つの座骨用凹部１２，１３を設けることによって、荷重の集中を回避して疲労や痛みを緩和するとともに、安定した姿勢が保持できるようにしたのである。
【００１３】
座板１１は、図３及び図４の断面図に示すように、ウレタンやスポンジ等のクッション性の素材３１を内部に持ち、合成皮革または布製の表皮３２と接着剤等で接着し、ベース板３３と止めピン３４で張り合わされている。図の符号３５は椅子の脚部への取付金具である。また、図１において、符号１４，１５は後述する凹湾曲部、１９は座板後部の凸部、３６は表皮３２の貼り合わせ部（ステッチ）、４０は脚部である。
【００１４】
座骨用凹部１２，１３は、前記クッション性素材３１の表面に凹部を形成することにより容易に形成することができる。座骨当接相当部分は、図８に示したように、正しい着座姿勢の時には座板１１の中央後部寄りの左右位置となる。なお、座板形状あるいは演奏者の好みにより位置変更は適宜行うことができる。
【００１５】
この座骨用凹部１２，１３の窪み深さは座板１１の一般面１１ａに対して最も低いところで２〜３ｃｍである（図４参照）。形状は円形のほか楕円状でもよい。
【００１６】
図５に示すドラム用椅子１０Ａの座骨用凹部１２Ａ，１３Ａはその形状を座板１１前後方向に長くした長円形状としてある。長円形状の座骨用凹部１２Ａ，１３Ａとすることによって、演奏者が前寄りに座る場合と後ろ寄りに座る場合など個々の演奏スタイルへの対応が可能となる。
【００１７】
図６に示すドラム用椅子１０Ｂは、従来の一般的な丸い座板１１Ｂに長円形状の座骨用凹部１２Ｂ，１３Ｂを設けたものである。図６及び図７において、図１と共通符号は同一構成を表す．
【００１８】
図７に示すドラム用椅子１０Ｃは、本発明として規定したように、座板１１の座骨用凹部１２，１３の後部に、さらに、演奏者Ｐの尾骨当接相当部分（図９の符号９４参照）に、単一の尾骨用凹部１６を設けたものである。この尾骨用凹部１６によって、尾骨９４周辺の疲労及び痛みも緩和されることができ、演奏姿勢もよくなり、演奏に集中することができる。
【００１９】
次に、本発明は、図１、図５をふまえて図７に図示したように、座板１１の前側左右が演奏者の両脚の大腿部９５（図９の符号９５参照）を保持できる凹湾曲部１４，１５に形成されたものである。この凹湾曲部１４，１５は、本発明として規定したように、座板縁部に向かってなだらかに低い面ｃ（図４参照）とすることが、姿勢保持上好ましい。なお、座板１１の周縁部には縫い合わせ部（ステッチ）３６が現出されるが、この該縫い合わせ部３６は凹湾曲部１４，１５を避けることが大腿部との感触上好ましい。
【００２０】
座板１１に演奏者Ｐの大腿部９５を保持できる凹湾曲部１４，１５を設けることによって、演奏者の体重を大腿部と接触する保持面で分散して受けることが可能となり、疲労が緩和されるとともに演奏姿勢もよくなる。
【００２１】
【発明の効果】
以上図示し説明したように、本発明のドラム用椅子によれば、クッション性を有する座板の中央後部寄りに２つの座骨用凹部を設けるとともに、前記座骨用凹部の後部に演奏者の尾骨当接相当部分に単一の尾骨用凹部を設け、さらに前記座板の前側左右が演奏者の両脚部の大腿部を保持でき、かつ縁部に向かってなだらかに低い面によって形成された凹湾曲部を設けたことを特徴とするものであるから、演奏者が安定した姿勢で快適に演奏することができ、長時間の演奏においても演奏者の疲労や痛みを低減させることができる。
【図面の簡単な説明】
【図１】  ドラム用椅子の一実施例を示す全体斜視図である。
【図２】  図１における座板の正面図である。
【図３】  図１の座板を３−３線で切断した断面図である。
【図４】  同じく図１の座板の４−４線部分の切断断面図である。
【図５】  他の実施例を示すドラム用椅子の全体斜視図である。
【図６】  さらに別の実施例を示すドラム用椅子の全体斜視図である。
【図７】  本発明の実施例を示すドラム用椅子の全体斜視図である。
【図８】  着座状態を示すドラム用椅子の上面図である。
【図９】  着座状態における骨格の位置関係を表す側面図である。
【図１０】  従来のドラム用椅子の一例を示す斜視図である。
【図１１】  従来のドラム用椅子の他の例を示す斜視図である。
【符号の説明】
１０  ドラム用椅子
１１  座板
１２，１３  座骨用凹部
１４，１５  凹湾曲部
１６  尾骨用凹部
【図１】
0003655210.tif 000002
【図２】
0003655210.tif 000003
【図３】
0003655210.tif 000004
【図４】
0003655210.tif 000005
【図５】
0003655210.tif 000006
【図６】
0003655210.tif 000007
【図７】
0003655210.tif 000008
【図８】
0003655210.tif 000009
【図９】
0003655210.tif 000010
【図１０】
0003655210.tif 000011
【図１１】
0003655210.tif 000012